(57)【要約】      （修正有）【課題】上衣の背中両サイドに設けたノーフォーク部を簡単な構成で立ち上がったヒダ部を自動的に復元させ、常にスッキリさせるようにした上衣を提供する。【解決手段】防寒ジャンパーや、作業服等の上衣１であって、背中部がノーフォークＸ仕様の上衣１において、背中部の表生地２の左右を折り畳み、外側（脇側）が山折り部Ｙａ、内側（背中心側）が谷折り部Ｙｂとなるヒダ部Ｙを左右に形成し、これらヒダ部Ｙ間に、弾性部材３を設け、該弾性部材３の両端部を、固定手段を用い、表生地２の左右の谷折り部Ｙｂの間に固着した。【選択図】図３
0003222144.tif 000002
【実用新案登録請求の範囲】
【請求項１】
防寒ジャンパーや、作業服等の上衣（１）であって、背中部がノーフォーク（Ｘ）仕様の上衣（１）において、
背中部の表生地（２）の左右を折り畳み、外側（脇側）が山折り部（Ｙａ）、内側（背中心側）が谷折り部（Ｙｂ）となるヒダ部（Ｙ）、（Ｙ）を左右に形成し、
これらヒダ部（Ｙ）、（Ｙ）間に、弾性部材（３）を設け、
該弾性部材（３）の両端部を、固定手段（４）を用い、表生地（２）の左右の谷折り部（Ｙｂ）、（Ｙｂ）の間に固着した
ことを特徴とする復元自在なノーフォーク仕様の上衣。
【請求項２】
前記弾性部材（３）は、ゴムあるいは伸縮性のある布材である
ことを特徴とする請求項１記載の復元自在なノーフォーク仕様の上衣。
【請求項３】
前記弾性部材（３）は、背中部の表生地（２）と裏生地（２´）との間に設けた
ことを特徴とする請求項１記載の復元自在なノーフォーク仕様の上衣。
【請求項４】
前記固定手段（４）は、糸あるいは接着剤であり、ノーフォーク（Ｘ）部の両端にテンションをかけない状態の弾性部材（３）を固着した
ことを特徴とする請求項１記載の復元自在なノーフォーク仕様の上衣。
【考案の詳細な説明】
【技術分野】
【０００１】
この考案は、復元自在なノーフォーク仕様の上衣に関するものである。
【背景技術】
【０００２】
従来、防寒ジャンパー、事務服、作業服等の上衣は、作業中に腕の上げ下ろしが窮屈でなく動き易いようノーフォーク仕様の上衣が製造され販売されている。
【０００３】
また、作業服に限らずジャケットにおいても、ノーフォーク仕様の上衣が存在している。  
例えば、特許文献１のように。
【先行技術文献】
【特許文献】
【０００４】
【特許文献１】実開昭５５−１２４４０７号公報
【０００５】
しかし、これらのノーフォーク仕様の上衣は、腕の上げ下ろしによってノーフォークのヒダ部が横方向に拡がってしまい、ヒダ部はそのままの状態で元の位置に復元せず、見た目に体裁の悪いものであった。
【考案の概要】
【考案が解決しようとする課題】
【０００６】
そこでこの考案は、背中両サイドにノーフォーク仕様に形成した上衣において、着用者の動きによって拡がったノーフォークのヒダ部を自動的に復元させ、常にスッキリさせるようにした復元自在なノーフォーク仕様の上衣を開発・提供する事にある。
【課題を解決するための手段】
【０００７】
この考案の復元自在なノーフォーク仕様の上衣は、防寒ジャンパーや、作業服等の上衣であって、背中部がノーフォーク仕様の上衣において、背中部の表生地の左右を折り畳み、外側（脇側）が山折り部、内側（背中心側）が谷折り部となるヒダ部を左右に形成し、これらヒダ部間に、弾性部材を設け、該弾性部材の両端部を、固定手段を用い、表生地の左右の谷折り部の間に固着したことを特徴とする。
【０００８】
前記弾性部材は、ゴムあるいは伸縮性のある布材であることを特徴とする。
【０００９】
前記弾性部材は、背中部の表生地と裏生地との間に設けたことを特徴とする。
【００１０】
前記固定手段は、糸あるいは接着剤であり、ノーフォーク部の両端にテンションをかけない状態の弾性部材を固着したことを特徴とする。
【考案の効果】
【００１１】
この考案によると、弾性部材（３）をノーフォーク（Ｘ）部間に跨座し、該弾性部材はテンションを掛けない状態で固定することにより、一時、ノーフォークのヒダ部（Ｙ）が弾性部材（３）の弾力に抗して拡がっても、ヒダ部（Ｙ）は弾性部材（３）が収縮することにより、ノーフォーク（Ｘ）部が復元し、元とおりのスマートな上衣に自動的に戻る等の効果を奏する。
【図面の簡単な説明】
【００１２】
【図１】この考案の一実施例を示す上衣の正面図である。
【図２】この考案の一実施例を示す上衣の背面図である。
【図３】この考案の一実施例を示し、（Ａ）は、上衣の一部を切り欠いた状態の拡大背面図であり、（Ｂ）は、図３（Ａ）中の（ｃ）−（ｃ）部分の拡大断面図である。
【図４】この考案の一実施例を示し、（Ａ）は、図２中の（ａ）−（ａ）断面図であり、（Ｂ）は、図４（Ａ）の（ｄ）部分の一部を切り欠いた拡大断面図である。
【考案を実施するための形態】
【００１３】
以下、この考案について詳細に説明する。尚、この考案においては、以下の記述に限定されるものではなく、この考案の要旨を逸脱しない範囲においては適宜変更可能である。
【００１４】
次に、この考案の一実施例を図面に基づいて説明すると、防寒ジャンパーや、作業服等の上衣（１）であって、背中部がノーフォーク（Ｘ）仕様の上衣（１）において、背中部の表生地（２）の左右を折り畳み、外側（脇側）が山折り部（Ｙａ）、内側（背中心側）が谷折り部（Ｙｂ）となるヒダ部（Ｙ）、（Ｙ）を左右に形成し、これらヒダ部（Ｙ）、（Ｙ）間に、弾性部材（３）を設け、該弾性部材（３）の両端部を、固定手段（４）を用い、表生地（２）の左右の谷折り部（Ｙｂ）、（Ｙｂ）の間に固着したことを特徴とする復元自在なノーフォーク仕様の上衣からなるものである。
【００１５】
そして、前記弾性部材（３）は伸縮性のある素材であり、ゴムあるいは、ストレッチ織物と呼ばれている伸縮性のある布材であることを特徴とする復元自在なノーフォーク仕様の上衣である。
【００１６】
また、前記弾性部材（３）は、背中部の表生地（２）と裏生地（２´）との間に設けた
ことを特徴とする復元自在なノーフォーク仕様の上衣である。
【００１７】
さらに、前記固定手段（４）は、糸であり、ノーフォーク（Ｘ）部の両端にテンションをかけない状態の弾性部材（３）を縫着したことを特徴とする復元自在なノーフォーク仕様の上衣である。
【００１８】
なお、上衣（１）の表生地（２）の素材は、弾性部材（３）の弾力にある程度抗する厚手の生地が好ましい。
【００１９】
前記上衣（１）の背中部は、一実施例として図２に示しているように、一枚の後身頃から構成されたものであるが、背中心で左右の後身頃を縫着して構成されたものであってもよい。
【００２０】
また、背中部の表生地（２）を折り畳んで形成した左右のノーフォーク（Ｘ）、（Ｘ）部において、前記弾性部材（３）を固定する箇所は、背中部の裏生地（２´）側に位置する谷折り部（Ｙｂ）にそれぞれ固着するものである。
【００２１】
さらに、前記弾性部材（３）は、背中部の表生地（２）と背中部の裏生地（２´）の間に設けることにより、該弾性部材（３）は、上衣（１）を脱ぎ着する際に邪魔にならない。
【００２２】
前記弾性部材（３）は、実施例ではベルト状のゴム一本をノーフォーク部（Ｘ）（Ｘ）の上下方向の略中間部付近に固着するものを示したが、該弾性部材（３）は、平行に複数本設けてもよいものである。
【００２３】
前記固定手段（４）は、一実施例としては糸（素材は問わない）であり、該糸で前記弾性部材（３）の両端をヒダ部（Ｙ）谷折り部（Ｙｂ）にそれぞれ縫着するものである。
【００２４】
また、糸に代わって接着剤であってもよい。固着時には、ノーフォーク（Ｘ）部の両端にテンションをかけない状態（弾性部材を伸長させてない状態をいう。）で弾性部材（３）を縫着、あるいは固着するものである。
【００２５】
これにより該上衣（１）を着用して作業をした際に、腕等の上げ下げ等による動きによって弾性部材（３）が一時的に伸長し、即ち、ノーフォーク（Ｘ）部のヒダ部（Ｙ）が弾力に抗して脇側にそれぞれ拡がっても、動作が終了した際には、弾性部材（３）が収縮し、ヒダ部（Ｙ）は、即時、復元するものである。
【産業上の利用可能性】
【００２６】
この考案の復元自在なノーフォーク仕様の上衣の技術を確立し、実施することにより産業上の利用可能性を有する。
【符号の説明】
【００２７】
１    上衣
２    背中部の表生地
２´  背中部の裏生地
３    弾性部材
４    固定手段
Ｘ    ノーフォーク部
Ｙ    ヒダ部
Ｙａ  山折り部
Ｙｂ  谷折り部
【図１】
0003222144.tif 000003
【図２】
0003222144.tif 000004
【図３】
0003222144.tif 000005
【図４】
0003222144.tif 000006